(57)【要約】【課題】クリーンルームなどの空気質保全の必要のある空間を備えた建物に場所的にある程度近接した領域で工事を行う場合に汚染物質からその空間を容易に、かつ適切に保全する。【解決手段】工事によって生じる塵埃などの粒子状汚染物質およびガスなどの分子状汚染物質の影響を強く蒙るおそれのある領域に空気質保全の必要のある空間を備えた建物があるときの工事方法であって、少なくとも、前記工事における汚染物質が生じるおそれがある期間において、前記空間の外気処理用空調機１２０のエアフィルタ１２４の全部又は一部を置き換え対象フィルタ１として、この置き換え対象フィルタ１を、この置き換え対象フィルタ１よりも圧力損失が大きくなく、かつ、前記粒子状汚染物質および分子状汚染物質の双方を除去し得る養生用仮設エアフィルタ２に置き換えて前記工事を実施する。【選択図】図３
2007139211.tif 000002
【特許請求の範囲】
【請求項１】
工事によって生じる塵埃などの粒子状汚染物質およびガスなどの分子状汚染物質の影響を強く蒙るおそれのある領域にクリーンルームなどの空気質保全の必要のある空間を備えた建物があるときの工事方法であって、
少なくとも、前記工事における汚染物質が生じるおそれがある期間において、前記空間に対する外気処理用空調機のエアフィルタの全部又は一部を置き換え対象フィルタとして、
この置き換え対象フィルタを、この置き換え対象フィルタよりも圧力損失が大きくなく、かつ、前記粒子状汚染物質および分子状汚染物質の双方を除去し得る養生用仮設エアフィルタに置き換えて前記工事を実施することを特徴とする空気質保全工事方法。
【請求項２】
工事によって生じるおそれがある分子状汚染物質の性質に応じて、養生用仮設エアフィルタにおける分子状汚染物質を捕捉するろ材を調整して前記工事を実施することを特徴とする請求項１記載の空気質保全工事方法。
【発明の詳細な説明】
【技術分野】
【０００１】
この発明は、クリーンルームなどの空気質保全の必要のある空間を備えた建物の増改築やこの建物の近傍で各種工事をするときの、かかる空間の空気質の保全に配慮した工事方法に関する。
【背景技術】
【０００２】
一般に、クリーンルームなどの空気質保全の必要のある空間の外気処理用空調機を構成するエアフィルタとしては、塵埃を除去するエアフィルタが用いられている。（非特許文献１参照）ここで、かかるクリーンルームなどの空気質保全の必要のある空間を備えた建物に場所的にある程度近接した領域で工事を行った場合、それにより短期間に発生し得る多量の塵埃などにかかる外気処理用空調機を構成するエアフィルタが対応しきれない可能性がある。既設のこうしたエアフィルタは取り替え直後でもない限り既にある程度疲弊している。そこに工事によって多量の塵埃が発生するとすると想定時期より遙かに速くエアフィルタの寿命を到来させてしまう可能性がある。また、かかる工事においてはガスなども多量に発生し得る場合があるところ、かかる一般的な外気処理用空調機においてはこうしたガスを除去し得ない。しかるに従前は、風向きを配慮して工事を行ったり、汚染源と外気処理用空調機の一次側との離間距離に配慮を払うといった原始的な対策しか採られていなかった。外気処理用空調機にエアフィルタを追加する方策も考えられるがこれを構成するダクトには追加のエアフィルタを装填するセクションは設けられていないばかりか、単純にエアフィルタを追加してしまうと圧力損失が大きくなり前記空間への風量を所期量に保てなくさせてしまう。
【非特許文献１】早川一也・浅田敏勝監修、新  クリーンルームの運転・管理・清浄化ハンドブック、初版、株式会社エヌ・ティー・エス発行、１９９３年１０月２９日、P２０３
【発明の開示】
【発明が解決しようとする課題】
【０００３】
この発明が解決しようとする主たる問題点は、クリーンルームなどの空気質保全の必要のある空間を備えた建物に場所的にある程度近接した領域で工事を行う場合に、この工事によって短期間に多量に発生し得る汚染物質からその空間を容易に、かつ適切に保全する点にある。
【課題を解決するための手段】
【０００４】
前記課題を達成するために、この発明にあっては、空気質保全工事方法を、以下の（１）〜（３）の構成からなるものとした。
（１）工事によって生じる塵埃などの粒子状汚染物質およびガスなどの分子状汚染物質の影響を強く蒙るおそれのある領域にクリーンルームなどの空気質保全の必要のある空間を備えた建物があるときの工事方法であって、
（２）少なくとも、前記工事における汚染物質が生じるおそれがある期間において、前記空間に対する外気処理用空調機のエアフィルタの全部又は一部を置き換え対象フィルタとして、
（３）この置き換え対象フィルタを、この置き換え対象フィルタよりも圧力損失が大きくなく、かつ、前記粒子状汚染物質および分子状汚染物質の双方を除去し得る養生用仮設エアフィルタに置き換えて前記工事を実施する。
【０００５】
前記工事によって外気処理用空調機を構成する既設のエアフィルタで対応しきれない汚染物質が生じたとしても、少なくとも前記おそれがある期間においてこれに置き換えられた養生用仮設エアフィルタによってかかる汚染物質を前記空間側に可及的に入り込ませないようにして前記工事をなすことができる。養生用仮設エアフィルタは粒子状汚染物質のみならず分子状汚染物質をも除去し得ることから、工事によって生じ前記空間に悪影響を与え得る汚染物質を前記空間側に可及的に入り込ませないようにして前記工事をなすことができる。養生用仮設エアフィルタは外気処理用空調機を構成する既設のエアフィルタに置き換えられることから、この外気処理用空調機に特別の造作をなす必要はなく組み込むことができ、また、汚染物質の発生のおそれがなくなった場合には養生用仮設エアフィルタを取り外して保管しておいた置き換え対象フィルタを単純に再装填するだけで、外気処理用空調機を初期状態に復旧させることができる。さらに、用いられる養生用仮設エアフィルタは圧力損失を置き換え対象フィルタのそれより大きくしないことから、置き換えの期間中に亘って前記空間に必要とされる流量のエアが常に送り込まれるようにしておくことができる。
【発明の効果】
【０００６】
この発明にかかる空気質保全工事方法によれば、クリーンルームなどの空気質保全の必要のある空間を備えた建物に場所的にある程度近接した領域で工事を行う場合において、この工事によって短期間に多量に発生し得る汚染物質からその空間を容易に、かつ適切に保全した状態でかかる工事を実施することができる。この結果、風向きや汚染源と前記空間に対する外気処理用空調機の一次側との離間距離などを配慮することなく工事ができ、工期の短縮が可能となる。
【発明を実施するための最良の形態】
【０００７】
以下、図１ないし図５に基づいて、この発明を実施するための最良の形態について説明する。
【０００８】
なお、ここで図１は、実施の形態にかかる工事方法が有効となる典型的な状態を示した構成図であり、また、図２は、クリーンルームなどの空気質保全の必要のある空間１１０に対する外気処理用空調機１２０の典型的な構成例を示している。また、図３は、かかる外気処理用空調機１２０におけるエアフィルタ装填部１２６の一例を示した構成図である。また、図４及び図５は、養生用仮設エアフィルタ２の一例をそれぞれ示している。
【０００９】
この実施の形態にかかる工事方法は、工事によって生じる塵埃などの粒子状汚染物質およびガスなどの分子状汚染物質の影響を強く蒙るおそれのある領域にクリーンルームなどの空気質保全の必要のある空間１１０を備えた建物１００があるときに用いられるものである。
【００１０】
一般に、クリーンルームなどの空気質保全の必要のある空間１１０に対する外気処理用空調機１２０（この空間１１０に外気を導入するダクト１２１、送風機１２２、コイル１２３、エアフィルタ１２４などを組み合わせてなる。外気調和機などとも称される。）を構成するエアフィルタ１２４としては、塵埃を除去するエアフィルタ（中性能フィルタなどと称される。）が用いられている。（図２）ここで、かかる空間１１０を備えた建物１００の近隣において単純に工事を行った場合、それにより短期間に発生し得る多量の塵埃などの粒子状汚染物質にかかる空間１１０に対する外気処理用空調機１２０を構成するエアフィルタ１２４が対応しきれない可能性がある。また、かかる工事においてはガスなどの分子状汚染物質も多量に発生し得る場合があるところ、一般的な外気処理用空調機１２０においてはこうした分子状汚染物質を除去し得ない。
【００１１】
こうした分子状汚染物質としては、典型的には、次のようなものがあげられる。
（１）重機、車両、仮設電源用発動機などより発生する排気ガスに含まれるNOｘ、SOｘなどの無機物質
（２）建物の屋根などに対するアスファルト防水施工時などにおいてこのアスファルトから発生する炭化水素などの有機ガス
（３）外壁塗装や外壁タイル貼りなどの外壁仕上げ時などにおいて塗料、接着剤、シーリング材などから発生する有機ガス
（４）内装工事における塗料や接着剤などから発生する有機ガス
（５）アスファルト舗装施工時などにおいてこのアスファルトから発生する炭化水素などの有機ガス
（６）水槽内面や薬品保管庫の防液堤などのFRPライニング施工時などにおいて発生する有機ガス
（７）緑化工事における殺虫剤などの農薬や肥料などの薬剤散布に起因する有機リンなどの有機ガス
【００１２】
かかる工事方法は、前記工事によって生じる粒子状汚染物質および分子状汚染物質の影響を強く蒙るおそれのある領域、具体的には、この工事がなされる土地の隣地やこの土地を中心とした半径数百メートルの範囲に、クリーンルームなどの空気質保全の必要のある空間１１０を備えた建物１００があるときや、この空間１１０を備えた建物１００の増改築工事をするときに用いられるものである。
【００１３】
かかる空間１１０としては、クリーンルームの他、これと同様かこれに準ずる高度ないしは清浄な空気質に保たれる必要のある空間を想定するものであり、典型的には、実験用動物の飼育室、医薬品製造施設内の製造ラインのある部屋、美術館・博物館の展示室・収蔵庫などがあげられる。
【００１４】
かかる工事方法は、少なくとも、前記工事における汚染物質（粒子状汚染物質および分子状汚染物質の双方又はいずれか一方）が生じるおそれがある期間において、前記空間１１０に対する外気処理用空調機１２０のエアフィルタ１２４の全部又は一部を置き換え対象フィルタ１として、この置き換え対象フィルタ１を、この置き換え対象フィルタ１よりも圧力損失が大きくなく、かつ、前記粒子状汚染物質および分子状汚染物質の双方を除去し得る養生用仮設エアフィルタ２に置き換えて前記工事を実施するものである。
【００１５】
典型的には、前記外気処理用空調機１２０の中性能フィルタセクションに比色法（ＪＩＳ規格番号Ｂ９９０８）で約３０〜４０％程度の除塵効率の中性能フィルタ機能を併せ持つ養生用仮設エアフィルタ２を置き換え設置する。
【００１６】
ここで工事の期間は、着工から施主に物件を引き渡すまでの期間をいうことから、前記汚染物質が生じるおそれがある期間とはこの工事の期間の一部又は全部を意味する。前記置き換え対象フィルタ１は、このおそれがある期間においては必ず養生用仮設エアフィルタ２に置き換えられる。
【００１７】
図２は、外気処理用空調機１２０の一例を示している。図中符号１２１はダクト、符号１２２は送風機、符号１２３はコイル、符号１２５は点検口、符号１２７はロールフィルタであり、図中の右側から外気が取り入れられ（一次側）左側がクリーンルームなどの空気質保全の必要のある空間１１０側に連通している（二次側）。ロールフィルタ１２７は落ち葉や昆虫などの異物の取り込みを防止するための部材である。この例ではエアフィルタ装填部１２６には、図３に示されるようにダクト１２１内に積み上げられた一つずつは方形枠状をなす複数のホールディングフレーム１２６ａによって、複数のエアフィルタ１２４の装填セル１２６ｂが形成されており、各装填セル１２６ｂにそれぞれエアフィルタ１２４が装填されている。典型的には、このように装填されている全てのエアフィルタ１２４を少なくとも前記おそれがある期間において養生用仮設エアフィルタ２に置き換えて工事を実施する。あるいはまた、このように装填されているエアフィルタ１２４の一部を少なくとも前記おそれがある期間において養生用仮設エアフィルタ２に置き換えて工事を実施する。この置き換えは典型的には前記点検口１２５を利用してなされる。すなわち、図示の例では、養生用仮設エアフィルタ２は装填セル１２６ｂに密に装填できる外形を有するように構成されている。
【００１８】
また、外気処理用空調機１２０を構成するダクト１２１における一次側と二次側との間に二カ所以上のエアフィルタ装填部１２６が間隔を開けて設けられている場合には、これらのエアフィルタ装填部１２６の全てにおいて装填されているエアフィルタ１２４を養生用仮設エアフィルタ２に置き換えて工事を実施する。あるいはまた、これらのエアフィルタ装填部１２６の一部において装填されているエアフィルタ１２４を養生用仮設エアフィルタ２に置き換えて工事を実施する。
【００１９】
前記工事によって外気処理用空調機１２０を構成する既設のエアフィルタ１２４で対応しきれない汚染物質が生じたとしても、少なくとも前記おそれがある期間においてこれに置き換えられた養生用仮設エアフィルタ２によってかかる汚染物質を前記空間１１０側に可及的に入り込ませないようにして前記工事をなすことができる。養生用仮設エアフィルタ２は粒子状汚染物質のみならず分子状汚染物質をも除去し得ることから、工事によって生じ前記空間１１０に悪影響を与え得る汚染物質をかかる空間１１０側に可及的に入り込ませないようにして前記工事をなすことができる。養生用仮設エアフィルタ２は外気処理用空調機１２０を構成する既設のエアフィルタ１２４に置き換えられることから、この外気処理用空調機１２０に特別の造作をなす必要はなく組み込むことができ、また、汚染物質の発生のおそれがなくなった場合には養生用仮設エアフィルタ２を取り外して保管しておいた置き換え対象フィルタ１を単純に再装填するだけで、外気処理用空調機１２０を初期状態に復旧させることができる。さらに、用いられる養生用仮設エアフィルタ２は圧力損失を置き換え対象フィルタ１のそれより大きくしないことから、置き換えの期間中に亘って前記空間１１０に必要とされる流量のエアが常に送り込まれるようにしておくことができる。
【００２０】
また、かかる工事によって生じるおそれがある分子状汚染物質の性質に応じて、養生用仮設エアフィルタ２における分子状汚染物質を捕捉するろ材２０を調整して前記工事を実施することが最良とされる。
【００２１】
例えば、かかる工事によってアルカリ性のガスが生じるときには前記ろ材２０がこれを捕捉するように、また、かかる工事によって酸性のガスが生じるときには前記ろ材２０がこれを捕捉するように、また、かかる工事によってアルカリ性のガスと酸性のガスの双方が生じるときには前記ろ材２０がこれらのいずれをも捕捉するように、ろ材２０の調整をして工事を行う。
【００２２】
養生用仮設エアフィルタ２を構成するろ材２０としては、図４および図５に示されるように、二枚の不織布よりなる副ろ材２０ｃ（典型的には厚さ０．２ｍｍ前後のもの）間に粒状をなす活性炭２０ｂ（典型的には２５０〜５００μｍ程度のもの）を保持した不織布状をなす主ろ材２０ａ（典型的には厚さ１．５ｍｍ前後のもの）を挟み込んだシート状のものを用いることが好ましい。また、典型的には、このように構成されるろ材２０を波形断面を持つか、または、プリーツ状をなすように成形して、前記ろ材２０を構成することが好ましい。その理由としては次の諸点があげられる。
（１）活性炭２０ｂによって有機ガスを効果的に捕捉除去できること
（２）活性炭２０ｂに炭酸カリウムなどのアルカリ性物質を担持させることにより（活性炭２０ｂをこの物質の水溶液に浸したりこの水溶液を噴霧するなどして）ＮＯｘ、ＳＯｘなどの酸性ガスをさらに容易に除去でき、また、活性炭２０ｂにリン酸などの酸性物質を担持させることによりアンモニア、アミンなどのアルカリ性ガスをさらに容易に除去でき、さらに、前者を担持させた活性炭２０ｂと後者を担持させた活性炭２０ｂとをブレンドさせることにより、両ガスのいずれも容易に除去できるようにろ材２０の調整をなし得ること
（３）主ろ材２０ａを、活性炭２０ｂを主体としたものとすることで圧力損失を中性能フィルタより大きくすることなく汚染物質の捕捉キャパシティを十分に確保できること
（４）二枚の副ろ材２０ｃによって粒子状汚染物質を確実に捕捉し得るろ材２０を低廉に構成できること
（５）ろ材２０を波形断面を持つか、または、プリーツ状をなすように成形することにより、圧力損失を過大にしない厚さにろ材２０を構成させながら通過するエアに対するろ材２０の接触面積を効果的に増大できること
【００２３】
また、養生用仮設エアフィルタ２は、このように構成されるろ材２０を、フィルタ枠２１によってその縁部を縁取り、ユニット化して用意しておくことが最良とされる。（図４参照）この例では、略正方形の外郭形状を備えたろ材２０の辺部を、断面を略コ字状とする枠構成体２１ａの内側にはめ込み、これによりろ材２０の辺部、つまり、縁部をフィルタ枠２１によって縁取っている。かかるフィルタ枠２１は、金属などによって構成させることができる。
【図面の簡単な説明】
【００２４】
【図１】この発明にかかる工事方法の適用が必要となる状態を示した構成図
【図２】外気処理用空調機１２０の構成図
【図３】外気処理用空調機１２０におけるエアフィルタ装填部１２６の構成図
【図４】養生用仮設エアフィルタ２の一例を示した断面構成図
【図５】同要部拡大構成図
【符号の説明】
【００２５】
１  置き換え対象フィルタ
２  養生用仮設エアフィルタ
１００  クリーンルームなどの空気質保全の必要のある空間を備えた建物
１１０  クリーンルームなどの空気質保全の必要のある空間
１２０  外気処理用空調機（外気調和機）
１２４  エアフィルタ
【図１】
2007139211.tif 000003
【図２】
2007139211.tif 000004
【図３】
2007139211.tif 000005
【図４】
2007139211.tif 000006
【図５】
2007139211.tif 000007